(57)【特許請求の範囲】
【請求項１】
炊飯器本体と、
前記炊飯器本体に設けたヒンジ部により前記炊飯器本体に回動自在に取り付けられた蓋体と、
前記炊飯器本体において前記ヒンジ部の下方に形成された空間部内に配置された制御基板とを備え、
前記蓋体は、前記蓋体の開放時に前記ヒンジ部の外装面を覆って移動する外装部を有し、
前記炊飯器本体における前記ヒンジ部の外装面は、前記蓋体の前記外装部の移動軌跡に近接して沿う円弧状に膨出させた形状を有しており、
また、前記空間部の外装部上面は下方に向けて傾斜する傾斜面となっており、さらに、前記蓋体が開放端に位置した状態のときの前記蓋体の前記外装部の下面が、上方に向けて傾斜する傾斜面となっている炊飯器。
【発明の詳細な説明】
【技術分野】
【０００１】
本発明は、炊飯器に関し、更に詳しくは炊飯器本体に設けたヒンジ部の外装構造に関するものである。
【背景技術】
【０００２】
従来、炊飯器においては、炊飯器本体の後部に設けたヒンジ部により蓋体が回動自在に炊飯器本体に取付けられている（例えば、特許文献１参照）。
【先行技術文献】
【特許文献】
【０００３】
【特許文献１】特許４０２７８４６号公報（第３頁、図１）
【発明の概要】
【発明が解決しようとする課題】
【０００４】
特許文献１の炊飯器では、蓋体を開いた際、蓋体の開放に伴って蓋体の後部外装部がヒンジ部後部の外装面を覆って移動する。このとき、後述の図５〜図８に示すように蓋体の後部外装部とヒンジ部後部の外装面との間の隙間が一時的に広がり、その後、再び狭くなることから、この隙間に指が挟まりやすいという問題があった。【０００５】
本発明はこのような点に鑑みなされたもので、蓋体を開放するときに形成される隙間に指が挟まるのを防止することが可能な炊飯器を提供することを目的とする。
【課題を解決するための手段】
【０００６】
本発明に係る炊飯器は、炊飯器本体と、炊飯器本体に設けたヒンジ部により炊飯器本体に回動自在に取り付けられた蓋体と、炊飯器本体においてヒンジ部の下方に形成された空間部内に配置された制御基板とを備え、蓋体は、蓋体の開放時にヒンジ部の外装面を覆って移動する外装部を有し、炊飯器本体におけるヒンジ部の外装面は、蓋体の外装部の移動軌跡に近接して沿う円弧状に膨出させた形状を有しており、また、空間部の外装部上面は下方に向けて傾斜する傾斜面となっており、さらに、蓋体が開放端に位置した状態のときの蓋体の外装部の下面が、上方に向けて傾斜する傾斜面となっているものである。
【発明の効果】
【０００７】
本発明によれば、ヒンジ部の外装面を、蓋体の外装部の移動軌跡に近接して沿う円弧状に膨出させた形状としたので、蓋体の開放時、蓋体の外装部とヒンジ部の外装面との間の隙間が一定距離に保たれるため、この隙間に指を挟むことを防止することができる。
【図面の簡単な説明】
【０００８】
【図１】本発明の一実施の形態に係る炊飯器の断面図である。
【図２】図１の蓋体の開放途中の状態を示した図である。
【図３】図１の蓋体が開放端に位置した状態を示した図である。
【図４】図１の要部拡大断面図である。
【図５】従来の炊飯器の断面図である。
【図６】図５の蓋体の開放途中の状態を示した図である。
【図７】図５の蓋体が開放端に位置した状態を示した図である。
【図８】図５の要部拡大断面図である。
【発明を実施するための形態】
【０００９】
図１は、本発明の一実施の形態に係る炊飯器の断面図である。図１において左側が使用者が対面する前方、右側が後方である。なお、図１及び後述の断面図においては、図をわかりやすくするため、切断部の端面図を示している。
炊飯器１は、上面に開口を有する炊飯器本体２と、この炊飯器本体２の開口を開閉する蓋体３とを備えている。蓋体３は、炊飯器本体２の後部に設けたヒンジ部４により炊飯器本体２に回動自在に取り付けられている。ヒンジ部４は、蓋体３を回動自在に軸支するヒンジ回転軸５と、ヒンジ回転軸５に装着されたヒネリバネ６とを有し、ヒネリバネ６により蓋体３に開放方向の付勢力が付与されている。なお、詳細図示していないが、ヒンジ部４には蓋体３の開放端を規制するストッパー（図示せず）が設けられており、蓋体３が開放端に位置した際、その状態が維持されるようになっている。
【００１０】
炊飯器本体２の内部には内鍋７が収納され、内鍋７の下方には、内鍋７を加熱するための加熱手段としての加熱コイル８が設けられている。また、炊飯器本体２内の前方側には蓋体３を開閉するラッチ機構９が設けられ、炊飯器本体２の前面外装部２０にはラッチ機構９の係合離脱を行うためのラッチ解除ボタン１０が設けられている。このラッチ解除ボタン１０が押されることによりラッチ機構９の係合が解除され、ヒンジ部４のヒネリバネ６の付勢力により蓋体３が後述の図２〜図４に示すようにヒンジ回転軸５を中心として開放端まで回転し、炊飯器本体２の開口が開放されるようになっている。
【００１１】
以下、本実施の形態の特徴部分の構造について説明する。
図２は、図１の蓋体の開放途中の状態を示した図である。図３は、図１の蓋体が開放端に位置した状態を示した図である。図４は、図１の要部拡大断面図で、蓋体の開放に伴うヒンジ部後部の外装面と蓋体の後部外装部との位置関係の変化を示す図である。
図２〜図４に示すように、蓋体３を開いた際、蓋体３の開放に伴って蓋体３の後部外装部３０がヒンジ部後部の外装面２１を覆って移動する。このヒンジ部後部の外装面２１は、蓋体３の後部外装部３０の移動軌跡Ｌに近接して沿う円弧状に膨出した形状となっている。これにより、蓋体３の開放時、蓋体３の後部外装部３０とヒンジ部後部の外装面２１との間の隙間Ｓ（図４参照）が一定距離に保たれるため、この隙間Ｓに指が挟まるのを防止することができる。なお、この隙間Ｓは、当然のことながら指が挟まることがない距離に設定されている。
【００１２】
ここで、比較のため、従来構造の炊飯器を図５〜図８に示す。図５〜図８に示すように、従来構造では、蓋体３Ａの回転に伴って蓋体３Ａの後部外装部３０Ａとヒンジ部後部の外装面２１Ａとの隙間ＳＡが一時的に広がり（図６、図８参照）、その後、狭くなっており（図７、８参照）、指を挟みやすい構造となっている。
【００１３】
図１の説明に戻る。炊飯器本体２において、ヒンジ部４の下方には空間部１１が形成されており、この空間部１１に制御基板１２が配置されている。本例では、ヒンジ部４の外装面２１を円弧状に膨出させた形状としているため、少なくともその膨出部分の先端２１ａと同じ奥行き位置まで空間部１１の後部位置を広げても、炊飯器本体２を大型化することなく空間部１１の容積を広げることができる。図１の例では、空間部１１の後部位置が膨出部分の先端２１ａよりも僅かに後方に位置する構成としている。そして、空間部１１の外装部上面１１ａを下方に向けて傾斜する傾斜面としている。これは、図３及び図４に示すように、蓋体３が開放端に位置した状態において、蓋体３の後部外装部３０と空間部１１の外装部上面１１ａとの間の隙間Ｓ１を広く確保し、隙間Ｓ１に指が挟まるのを防止するためである。また、同様の理由から、蓋体３が開放端に位置した状態のときの蓋体３の後部外装部３０の下面３１（図４参照）が上方に向けて傾斜する傾斜面となるように蓋体３の後部外装部３０を形成している。
【００１４】
以上説明したように、本実施の形態によれば、ヒンジ部後部の外装面２１を、蓋体３の後部外装部３０の移動軌跡Ｌに近接して沿う円弧状に膨出させた形状としたので、蓋体３の開放時に隙間Ｓを一定距離に保つことができ、この隙間Ｓに指が挟まるのを防止することができる。
【００１５】
また、ヒンジ部４の下方のデッドスペースに空間部１１を設け、空間部１１内に制御基板１２を設けているため、全体として小型化を図ることができる。
【００１６】
また、空間部１１の外装部上面１１ａを下方に向けて傾斜する傾斜面としたので、蓋体３が開放端に位置した状態において、蓋体３の後部外装部３０と空間部１１の外装部上面１１ａとの間の隙間Ｓ１に指が挟まるのを防止することができる。
【００１７】
また、蓋体３が開放端に位置した状態のときの蓋体３の後部外装部３０の下面３１が上方に向けて傾斜する傾斜面となるように蓋体３の後部外装部３０を形成したので、蓋体３の後部外装部３０と空間部１１の外装部上面１１ａとの間の隙間Ｓ１に指が挟まるのを防止することができる。
【符号の説明】
【００１８】
１  炊飯器、２  炊飯器本体、３  蓋体、３Ａ  蓋体、４  ヒンジ部、５  ヒンジ回転軸、６  ヒネリバネ、７  内鍋、８  加熱コイル、９  ラッチ機構、１０  ラッチ解除ボタン、１１  空間部、１１ａ  空間部の外装部上面、１２  制御基板、２０  炊飯器本体の前面外装部、２１  ヒンジ部後部の外装面、２１Ａ  ヒンジ部後部の外装面、２１ａ  膨出部分の先端、３０  蓋体の後部外装部、３０Ａ  蓋体の後部外装部、３１  蓋体の後部外装部の下面。
【図１】
0005542929.tif 000002
【図２】
0005542929.tif 000003
【図３】
0005542929.tif 000004
【図４】
0005542929.tif 000005
【図５】
0005542929.tif 000006
【図６】
0005542929.tif 000007
【図７】
0005542929.tif 000008
【図８】
0005542929.tif 000009